(57)【要約】【課題】人検知部の検知エリア外に居る人からの発見率向上に寄与することができる自動販売機を提供する。【解決手段】高色温度の光を照射する高色温度光源部１５と、この高色温度光源部１５よりも相対的に色温度が低く、人に対して表示又は掲示される照射対象物としての商品サンプル１３を主に照射する低色温度光源部１６とを備える。制御部ＣＰは、人検知部としての人感検知センサ部２０により人の存在が検知されない場合には高色温度光源部１５を点灯させるとともに、人の存在が検知される場合には少なくとも低色温度光源部１６を点灯させるように制御する。【選択図】図１
2012226638.tif 000002
【特許請求の範囲】
【請求項１】
光源部と、人の有無を検知する人検知部と、該人検知部の検知結果に基づいて前記光源部を制御する制御部とを備えた照明装置であって、
前記光源部は、高色温度の光を照射する高色温度光源部と、該高色温度光源部よりも相対的に色温度が低く、前記人に対して表示又は掲示される照射対象物を主に照射する低色温度光源部とを備え、
前記制御部は、前記人検知部により人の存在が検知されない場合には高色温度光源部を点灯又は点滅させるとともに、前記人の存在が検知される場合には少なくとも低色温度光源部を点灯させるように制御することを特徴とする照明装置。
【請求項２】
請求項１に記載の照明装置において、
前記制御部は、前記人検知部により人の存在が検知されると前記低色温度光源部に加えて前記高色温度光源部を点灯させるように制御することを特徴とする照明装置。
【請求項３】
請求項１又は２に記載の照明装置において、
周囲の明るさを計測する明るさ計測部を備え、
前記制御部は、前記明るさ計測部によって計測された計測結果が所定値未満であれば前記人検知部の検知結果に基づいて前記光源部を制御し、前記明るさ計測部によって計測された計測結果が所定位置以上であれば前記高色温度光源部及び低色温度光源部を消灯状態となるように制御することを特徴とする照明装置。
【請求項４】
請求項３に記載の照明装置において、
時刻を計測する時刻計測部を備え、
前記制御部は、前記時刻計測部によって計測された計測結果が予め設定した設定時間外であれば前記明るさ計測部を停止状態とし、前記時刻計測部によって計測された計測結果が予め設定した設定時間内であれば前記明るさ計測部を駆動させて該明るさ計測部によって計測される計測結果に基づいて前記光源部を制御することを特徴とする照明装置。
【請求項５】
請求項１〜４のいずれか一項に記載の照明装置を備えたことを特徴とする自動販売機。
【請求項６】
請求項５に記載の自動販売機において、
前記高色温度光源部は、販売機本体周囲を主に照射するように設けられ、
前記低色温度光源部は、前記販売機本体内に設けられて前記人に対して表示又は掲示される照射対象物としての商品サンプルを主に照射するように設けられたことを特徴とする自動販売機。
【発明の詳細な説明】
【技術分野】
【０００１】
本発明は、照明装置及びこの照明装置を備えた自動販売機に関するものである。
【背景技術】
【０００２】
従来、屋外や比較的暗い場所に設置される自動販売機等では、人が見やすくなるように照射対象物（商品サンプル）に光を照射する照明装置を備えたものが知られている（例えば、特許文献１参照）。
【０００３】
特許文献１の照明装置は自動販売機に備えられ、この自動販売機に備えられる人検知部によって人の有無を検知し、人が居ないと判断された場合には照明装置の一部が消灯されるようになっている。これによって照明装置としての駆動時間を抑えて消費電力の低減を図ることができるようになっている。
【先行技術文献】
【特許文献】
【０００４】
【特許文献１】特開平４−２９５９８８号公報
【発明の概要】
【発明が解決しようとする課題】
【０００５】
ところで、上記のような照明装置では、人が居ない場合には少なくとも照明装置（光源部）の一部が消灯することで消費電力の低減を図っているが、照明装置の一部が消灯されるために人検知部（センサ部）の検知エリア外に居る人から発見されにくい虞がある。
【０００６】
本発明は、上記課題を解決するためになされたものであって、その目的は、人検知部の検知エリア外に居る人からの発見率向上に寄与することができる照明装置及び自動販売機を提供することにある。
【課題を解決するための手段】
【０００７】
上記課題を解決するために、本発明の照明装置は、光源部と、人の有無を検知する人検知部と、該人検知部の検知結果に基づいて前記光源部を制御する制御部とを備えた照明装置であって、前記光源部は、高色温度の光を照射する高色温度光源部と、該高色温度光源部よりも相対的に色温度が低く、前記人に対して表示又は掲示される照射対象物を主に照射する低色温度光源部とを備え、前記制御部は、前記人検知部により人の存在が検知されない場合には高色温度光源部を点灯又は点滅させるとともに、前記人の存在が検知される場合には少なくとも低色温度光源部を点灯させるように制御すること特徴とする。
【０００８】
上記構成の照明装置において、制御部は、前記人検知部により人の存在が検知されると前記低色温度光源部に加えて前記高色温度光源部を点灯させるように制御することが好ましい。
【０００９】
上記構成の照明装置において、周囲の明るさを計測する明るさ計測部を備え、前記制御部は、前記明るさ計測部によって計測された計測結果が所定値未満であれば前記人検知部の検知結果に基づいて前記光源部を制御し、前記明るさ計測部によって計測された計測結果が所定位置以上であれば前記高色温度光源部及び低色温度光源部を消灯状態となるように制御することが好ましい。
【００１０】
上記構成の照明装置において、時刻を計測する時刻計測部を備え、前記制御部は、前記時刻計測部によって計測された計測結果が予め設定した設定時間外であれば前記明るさ計測部を停止状態とし、前記時刻計測部によって計測された計測結果が予め設定した設定時間内であれば前記明るさ計測部を駆動させて該明るさ計測部によって計測される計測結果に基づいて前記光源部を制御することが好ましい。
【００１１】
本発明の自動販売機は、上記いずれかに記載の照明装置を備えたことを特徴とする。
上記構成の自動販売機において、高色温度光源部は、販売機本体周囲を主に照射するように設けられ、前記低色温度光源部は、前記販売機本体内に設けられて前記人に対して表示又は掲示される照射対象物としての商品サンプルを主に照射するように設けられることが好ましい。
【発明の効果】
【００１２】
本発明によれば、人検知部の検知エリア外に居る人からの発見率向上に寄与しつつ消費電力を抑えることができる照明装置及び自動販売機を提供することができる。
【図面の簡単な説明】
【００１３】
【図１】本実施形態における照明装置を備えた自動販売機の概略構成図である。
【図２】同上における照明装置の電気的構成を説明するためのブロック図である。
【図３】（ａ）（ｂ）は、同上における照明装置に用いる光源部について説明するための説明図である。
【図４】同上における照明装置の一動作例について説明するためのフローチャートである。
【図５】（ａ）（ｂ）は、同上における照明装置の一動作例について説明するための説明図である。
【図６】別例における照明装置の一動作例について説明するためのフローチャートである。
【発明を実施するための形態】
【００１４】
以下、本発明を自動販売機の照明装置に具体化した一実施形態を図面に従って説明する。
図１に示すように、本実施形態の照明装置は、商品を夜間等の比較的暗い状況でも商品販売する自動販売機１０に用いられるものである。
【００１５】
自動販売機１０は、図１に示すように、略箱型状の販売機本体１１の前部に販売機本体１１から前方に延出するサンプル陳列棚１２が形成される。このサンプル陳列棚１２にはその左右方向（図１において紙面直交方向）に照射対象物としての複数の商品サンプル１３（図１では１つのみ図示）が配設されている。なお、前記サンプル陳列棚１２は自動販売機１０の規模によって複数設けられる場合もある。
【００１６】
また、前記販売機本体１１の前部には、断面が略扇状の取付台１４が備えられている。この取付台１４には、その表面に主に販売機本体１１の周囲に光を照射する高色温度光源部１５と、前記商品サンプル１３に光を照射する低色温度光源部１６とがそれぞれ複数設けられている。
【００１７】
各光源部１５，１６は、ＬＥＤ素子で構成されるとともに制御部ＣＰと電気的に接続されてこの制御部ＣＰにて点灯や消灯のタイミング等の制御がなされている。
高色温度光源部１５は、発光時の色温度が５０００Ｋ〜１００００Ｋの範囲に設定されている。
【００１８】
高色温度光源部１５の具体的な一例としては、例えば図３（ａ）（ｂ）に示すようなものがある。
高色温度光源部１５は、図３（ａ）に示すように、ｘｙ色度図における色度座標ｘが０．２９１、色度座標ｙが０．２９２、相関色温度が８７４０Ｋ、黒体軌跡からのずれであるＤＵＶ値が−４．８８とされたＬＥＤ素子で構成される。
【００１９】
また高色温度光源部１５は、図３（ｂ）に示すように、青色の波長領域である略４６０ｎｍにおいてスペクトル強度が最も高い第１ピーク波長を有するように構成される。なお、図３（ｂ）では、略４６０ｎｍにおける前記ピーク波長での相対スペクトル強度を１とし、各波長におけるスペクトル強度を略４６０ｎｍにおける第１ピーク波長に対して相対的に示している。高色温度光源部１５は、第１ピーク波長から略５０５ｎｍまでスペクトル強度が低下された後に、スペクトル強度が高くなって略５４０ｎｍ〜５８０ｎｍに第１ピーク波長に対して０．４程度のスペクトル強度である第２ピーク波長を有するように構成される。
【００２０】
一方、低色温度光源部１６は、発光時の色温度が５０００Ｋ以下の範囲に設定されている。
低色温度光源部１６の具体的な一例としては、例えば図３（ａ）（ｂ）に示すようなものがある。
【００２１】
低色温度光源部１６は、図３（ａ）に示すように、ｘｙ色度図における色度座標ｘが０．４３６、色度座標ｙが０．４１４、相関色温度が３０８８Ｋ、黒体軌跡からのずれであるＤＵＶ値が３．８９とされたＬＥＤ素子が構成される。
【００２２】
また低色温度光源部１６は、図３（ｂ）に示すように、青色の波長領域である略６００ｎｍにおいてスペクトル強度が最も高い第１ピーク波長を有するように構成される。なお、図３（ｂ）では、略６００ｎｍにおける前記ピーク波長での相対スペクトル強度を１とし、各波長におけるスペクトル強度を略６００ｎｍにおける前記第１ピーク波長に対して相対的に示している。低色温度光源部１６は、第１ピーク波長から短波長側である略４８５ｎｍまでスペクトル強度が低下された後に、スペクトル強度が高くなって略４５５ｎｍに前記ピーク波長に対して０．５程度のスペクトル強度の第２ピーク波長を有するように構成される。
【００２３】
また、本実施形態の自動販売機１０に備えられる照明装置は、図１及び図２に示すように人感検知センサ部２０と明るさ検知センサ部２１とタイマ２２とが備えられ、各センサ部２０，２１及びタイマ２２は前記制御部ＣＰと電気的に接続されている。
【００２４】
人感検知センサ部２０は、前記自動販売機１０の本体１１の上側前部１１ａに設けられて人Ｈ（図５（ａ）（ｂ）参照）から発せられる熱線（赤外線）を検知する焦電センサなどで構成され、人Ｈの存在情報が制御部ＣＰに出力される。
【００２５】
明るさ検知センサ部２１は、自動販売機１０の本体１１の上部１１ｂに設けられて照明装置（自動販売機１０）の周囲の明るさを検知するフォトダイオードなどで構成される。
タイマ２２は現時点の時刻情報を制御部ＣＰに対して出力するものである。制御部ＣＰは前記タイマ２２から得られる時刻情報を用いて自身のメモリ又は外部メモリに予め設定された設定時間か否かで各センサ部２０，２１のオン・オフを制御している。
【００２６】
次に、本実施形態の自動販売機１０に備えられる照明装置の制御部ＣＰに基づく一動作例について主に図４を用いて説明する。
制御部ＣＰは、先ず前記タイマ２２の現在の時刻情報が自身のメモリ又は外部メモリに設定される設定時間の範囲内か否かを判定する（ステップＳ１０）。なお、制御部ＣＰ内のメモリ又は外部メモリに予め設定される設定時間としては昼間の概ねの時間や夜（夕方）の概ねの時間を決めるものとして任意に設定されている。
【００２７】
現在の時刻情報が設定時間外であれば（ステップＳ１０：ＮＯ）、制御部ＣＰは、明るさ検知センサ部２１に対する電力供給を遮断して停止させる。そして、制御部ＣＰは、高色温度光源部１５及び低色温度光源部１６を消灯させる（ステップＳ１５）。
【００２８】
一方、現在の時刻情報が設定時間内であれば（ステップＳ１０：ＹＥＳ）、制御部ＣＰは、前記明るさ検知センサ部２１に対する電力供給を許可して起動させる。そして、制御部ＣＰは、前記明るさ検知センサ部２１によって検出される照明装置（自動販売機１０）の周囲の明るさが所定値（閾値）以上か否かを判定する（ステップＳ１１）。
【００２９】
明るさが前記所定値以上であれば（ステップＳ１１：ＹＥＳ）、制御部ＣＰは、人感検知センサ部２０に対する電力供給を遮断して停止させる。そして、制御部ＣＰは、高色温度光源部１５及び低色温度光源部１６を消灯させる（ステップＳ１５）。
【００３０】
一方、明るさが前記所定値未満であれば（ステップＳ１１：ＮＯ）、制御部ＣＰは、前記人感検知センサ部２０に対する電力供給を許可して起動させる。そして、制御部ＣＰは、前記人感検知センサ部２０から出力される人Ｈの存在情報に基づいて、人Ｈの有無を判定する（ステップＳ１２）。
【００３１】
照明装置（自動販売機１０）の周囲に人Ｈが居ない場合（ステップＳ１２：ＮＯ）、制御部ＣＰは、図５（ａ）に示すように高色温度光源部１５を点灯させるとともに、低色温度光源部１６を消灯させる（ステップ１３）。
【００３２】
一方、照明装置（自動販売機１０）の周囲に人Ｈが居る場合（ステップＳ１２：ＹＥＳ）、制御部ＣＰは、図５（ｂ）に示すように高色温度光源部１５及び低色温度光源部１６を点灯させる（ステップ１４）。
【００３３】
そして、自動販売機１０（照明装置）に備えられる制御部ＣＰは、前述のステップＳ１３〜Ｓ１５終了後、ステップＳ１０から繰り返し処理を継続させて、自動販売機１０の駆動を継続させる。
【００３４】
次に、本実施形態の作用について説明する。
本実施形態の自動販売機１０に備えられる照明装置では、人感検知センサ部２０による人Ｈの検知が無い場合に色温度の高い高色温度光源部１５を制御部ＣＰにより点灯される。そして、人感検知センサ部２０によって人Ｈの検知がされた場合には、高色温度光源部１５及び低色温度光源部１６を制御部ＣＰにより点灯される。
【００３５】
次に、本実施形態の特徴的な効果を記載する。
（１）高色温度の光を照射する高色温度光源部１５と、この高色温度光源部１５よりも相対的に色温度が低く、人Ｈに対して表示又は掲示される照射対象物としての商品サンプル１３を主に照射する低色温度光源部１６とを備える。制御部ＣＰは、人検知部としての人感検知センサ部２０により人Ｈの存在が検知されない場合には高色温度光源部１５を点灯させるとともに、人Ｈの存在が検知される場合には少なくとも低色温度光源部１６を点灯させるように制御する。このように、人Ｈの存在が検知されない場合には暗所視や薄明視で比較的認識し易い高色温度の光源部１５が点灯されるため、検知エリア外の比較的遠方に居る人Ｈから本照明装置（自動販売機１０）を発見し易くできる。また、人Ｈの存在が検知されない場合には、低色温度光源部１６を消灯させているため、省電力化に寄与することができる。
【００３６】
（２）制御部ＣＰは、人感検知センサ部２０により人Ｈの存在が検知されると低色温度光源部１６に加えて高色温度光源部１５を点灯させるように制御する。これにより、人Ｈが注視するような近接した状態で、周辺の明るさを確保しながら商品サンプル１３を見やすくすることが可能となる。
【００３７】
（３）周囲の明るさを計測する明るさ計測部としての明るさ検知センサ部２１を備える。そして、制御部ＣＰは、明るさ検知センサ部２１によって計測された計測結果が所定値（閾値）未満であれば前記人検知部の検知結果に基づいて前記光源部を制御する。さらに、制御部ＣＰは、明るさ検知センサ部２１によって計測された計測結果が所定位置以上であれば高色温度光源部１５及び低色温度光源部１６を消灯状態となるように制御する。このように、照明装置（自動販売機１０）の周囲が十分に明るい際に各光源部１５，１６を作動させない（消灯させる）ことで、更なる省電力化が期待できる。
【００３８】
（４）時刻を計測する時刻計測部としてのタイマ２２を備える。そして制御部ＣＰは、タイマ２２によって計測された計測結果が予め設定した設定時間外であれば明るさ計測部を停止状態とする。また制御部ＣＰ、タイマ２２によって計測された計測結果が予め設定した設定時間内であれば明るさ検知センサ部２１を駆動させて明るさ検知センサ部２１によって計測される計測結果に基づいて前記光源部を制御する。このように、タイマ２２による計測結果（現在の時刻情報）が設定時間外である場合には、明るさ検知センサ部２１の駆動を停止させるため、更なる省電力化を期待できる。
【００３９】
（５）本実施形態では、各光源部１５，１６をＬＥＤ素子にて構成しているため、蛍光灯等と比較して虫等が照明装置（自動販売機）に集まることを減らすことが可能となる。
尚、本発明の実施形態は、以下のように変更してもよい。
【００４０】
・上記実施形態では、各光源部１５，１６を複数設けたが必要に応じてその個数を１個に変更してもよい。
・上記実施形態では、各光源部１５，１６をＬＥＤ素子にて構成したが、各光源部１５，１６の色温度が相対的に異なる限り、蛍光灯や有機ＥＬ素子等のその他の光源部を用いてもよい。
【００４１】
・上記実施形態では、人感検知センサ部２０として焦電センサを設ける構成としたが、ＣＭＯＳセンサ等の画像センサや熱画像センサを用いる構成を採用してもよい。ＣＭＯＳ等の画像センサを用いることで、１つのセンサで明るさと人検知の両方を検知することが可能となるため、その場合にはフォトダイオードで構成される明るさ検知センサ部２１を省略してもよい。
【００４２】
・上記実施形態では、明るさ検知センサ部２１及びタイマ２２を設ける構成としたが、いずれか一方若しくはその両方を省略した構成を採用してもよい。なお、明るさ検知センサ部２１を省略した場合でもタイマ２２の時刻情報から周囲の明るさを予測することも可能である。また、明るさ検知センサ部２１及びタイマ２２を省略した場合、制御部ＣＰは、図６に示すように人Ｈの存在の有無に応じて（ステップＳ１２）、各光源部１５，１６を上記実施形態のステップＳ１３及びステップＳ１４を実施する。
【符号の説明】
【００４３】
１０…自動販売機、１１…販売機本体、１３…商品サンプル、１５…高色温度光源部、１６…低色温度光源部、２０…人検知部（人感検知センサ部）、２１…明るさ検知センサ部（明るさ計測部）、２２…タイマ（時刻計測部）、ＣＰ…制御部、Ｈ…人。
【図１】
2012226638.tif 000003
【図２】
2012226638.tif 000004
【図３】
2012226638.tif 000005
【図４】
2012226638.tif 000006
【図５】
2012226638.tif 000007
【図６】
2012226638.tif 000008